(57)【要約】【課題】不正を検出するためのスペースの確保が容易かつコストを抑えることが可能な遊技機の提供を目的とする。【解決手段】本発明の遊技機１０は、電波や衝撃や磁力を用いた不正行為を受けると流れる電流が変化する不正検出回路３０を備えている。不正検出回路３０は内部にコイルバネ３２や鉄球３３や導体板３４などを有している。そして、不正検出回路３０を流れる電流は電流検出部３６によって検出され、その検出結果はサブ制御基板２００へと送られて異常を判別される。【選択図】図４
2019005332.tif 000002
【特許請求の範囲】
【請求項１】
アンテナと、
前記アンテナで受信したノイズに基づく電流が流れる通電回路と、
前記通電回路に流れる電流又はその電流の代替値となる電圧を検出する検出部と、
前記検出部の検出結果に基づいて不正ノイズの有無を判別する不正判別手段と、を備える遊技機において、
前記通電回路に、一定又は一定周期の電流を付与する電源回路と、
前記通電回路に設けられ、衝撃に応じて抵抗値が変化する可変抵抗器と、
前記不正判別手段は、前記不正ノイズの有無と併せて不正な衝撃の有無も判別する遊技機。
【請求項２】
前記可変抵抗器は、
遊技機に固定された固定電極と、
前記固定電極に設けられ、前記電源の一方の出力電極側に接続される第１接続部と、
前記遊技機に一部を固定されて弾性変形する弾性部材と、
前記弾性部材に支持されて、前記固定電極に導通接触した状態に維持され、衝撃を受けると前記第１接続部との間の距離が変化するように振動する可動電極と、
前記可動電極に設けられ、前記電源の他方の出力電極側に接続される第２接続部とを備えてなる請求項１に記載の遊技機。
【請求項３】
前記可動電極には、磁力を受けて引きつけられる吸引部が備えられ、
前記不正判別手段は、前記通電回路に流れる電流に基づいて前記不正な磁力の有無も判別する請求項２に記載の遊技機。
【請求項４】
前記可変抵抗器は、加速度センサである請求項１に記載の遊技機。
【発明の詳細な説明】
【技術分野】
【０００１】
本発明は、不正行為を検出することができる遊技機に関する。
【背景技術】
【０００２】
従来、この種の遊技機として、電波を受けると電流が変化する回路を備え、変化する電流に基づいて、不正ノイズを検出するものが知られている（例えば、特許文献１参照）。
【先行技術文献】
【特許文献】
【０００３】
【特許文献１】特開２０１１−１２０７２０号公報（図１）
【発明の概要】
【発明が解決しようとする課題】
【０００４】
しかしながら、遊技機に対する不正行為は電波を用いたものだけでなく衝撃や磁力を用いたものが挙げられる。それら他の不正行為を検出するためのスペースを容易に確保でき、コストも抑えられる遊技機が求められていた。
【０００５】
本発明は、上記事情に鑑みてなされたもので、電波及び衝撃を用いた不正行為を検出する場合でもスペースの確保が容易で、さらに、コストを抑えることが可能な遊技機の提供を目的とする。
【課題を解決するための手段】
【０００６】
上記目的を達成するためになされた請求項１の発明に係る遊技機は、アンテナと、前記アンテナで受信したノイズに基づく電流が流れる通電回路と、前記通電回路に流れる電流又はその電流の代替値となる電圧を検出する検出部と、前記検出部の検出結果に基づいて不正ノイズの有無を判別する不正判別手段と、を備える遊技機において、前記通電回路に、一定又は一定周期の電流を付与する電源回路と、前記通電回路に設けられ、衝撃に応じて抵抗値が変化する可変抵抗器と、前記不正判別手段は、前記不正ノイズの有無と併せて不正な衝撃の有無も判別する遊技機である。
【０００７】
請求項２の発明に係る遊技機は、前記可変抵抗器は、遊技機に固定された固定電極と、前記固定電極に設けられ、前記電源の一方の出力電極側に接続される第１接続部と、前記遊技機に一部を固定されて弾性変形する弾性部材と、前記弾性部材に支持されて、前記固定電極に導通接触した状態に維持され、衝撃を受けると前記第１接続部との間の距離が変化するように振動する可動電極と、前記可動電極に設けられ、前記電源の他方の出力電極側に接続される第２接続部とを備えてなる請求項１に記載の遊技機である。
【０００８】
請求項３の発明に係る遊技機は、前記可動電極には、磁力を受けて引きつけられる吸引部が備えられ、前記不正判別手段は、前記通電回路に流れる電流に基づいて前記不正な磁力の有無も判別する請求項２に記載の遊技機である。
【０００９】
請求項４の発明に係る遊技機は、前記可変抵抗器は、加速度センサである請求項１に記載の遊技機である。
【発明の効果】
【００１０】
請求項１の遊技機では、ノイズを受けても、衝撃を受けても、通電回路の電流が変化する。そして、その電流の変化に基づいて、不正ノイズの有無及び不正な衝撃の有無が判別される。即ち、不正ノイズの有無の判別と、不正な衝撃の有無の判別とに通電回路の電流を検出する検出部を兼用することができ、検出用回路分の省スペース化及びコストダウンが図られる。
【００１１】
可変抵抗器は、具体的には、請求項２の遊技機のように、弾性変形する弾性部材と、弾性部材に支持される可動電極と、可動電極と接触通電する固定電極とで構成することができる。弾性変形する弾性部材に可動電極が支持されているので、衝撃によって可動電極が振動し、可動電極の振動によって固定電極との接触位置が変わり、接触位置から第１接続部までの距離が変化すると固定電極を流れる電流が変化するため、固定電極が可変抵抗器としての役割を果たすことができ、衝撃による不正行為が検出できる。
【００１２】
請求項３の遊技機では、磁力によって可動電極が引きつけられ、固定電極との接触位置が変わり、固定電極を流れる電流が変化する。不正な磁力による電流の変化の検出も、不正ノイズ及び不正な衝撃の電流に対する検出用回路が兼用できるので、その分さらなる省スペース化が図られる。
【００１３】
また、請求項４の遊技機のように、可変抵抗器は加速度センサでもよい。
【図面の簡単な説明】
【００１４】
【図１】本発明の第１実施形態に係る遊技機の正面図
【図２】遊技板の正面図
【図３】不正検出回路の正面図
【図４】不正検出回路の斜視図
【図５】可変抵抗器の側面図
【図６】遊技機の制御系ブロック図
【発明を実施するための形態】
【００１５】
［第１実施形態］
以下、本発明の第１実施形態を図１〜６に基づいて説明する。図１に示された遊技機１０は、ガラス窓部１０Ｗを有する前枠部１０Ｚの後方に、図２に示された遊技板２０を備える。その遊技板２０にはレール２１に囲われた内側に遊技領域Ｒ１が備えられ、遊技領域Ｒ１内に、多数の釘部Ｋと、複数の始動入賞口２２と、大入賞口２３等を有する。始動入賞口２２及び大入賞口２３にはそれぞれ遊技球の通過を検知するための電磁センサＳ１（図６参照）が設けられている。大入賞口２３は通常は大入賞扉２３Ａによって閉じられている。また、遊技領域Ｒ１の下端にはアウト口２４が設けられている。
【００１６】
大入賞口２３及び始動入賞口２２の電磁センサＳ１は、例えば、遊技中に電波の送受信をし続ける送信部と受信部とを有していて、遊技球が各入賞口２２，２３に入るときは、電磁センサの送信部と受信部との間を通過する。
【００１７】
遊技板２０の中央には側部が突出した液晶窓部２０Ａが設けられていて、液晶窓部２０Ａの後方には液晶表示部４０が配されている。
【００１８】
図３に示された不正検出回路３０（本発明における通電回路に相当する）が、遊技板２０の後面の、例えば大入賞口２３の上方付近に位置している。
【００１９】
図４に示されるように、不正検出回路３０は基板Ｂ１と、基板Ｂ１に取り付けられた電源回路３７とを有している。電源回路３７は電源Ｐ１と内部抵抗器Ｒ１とを有していて、一定又は一定周期の微弱電流を不正検出回路３０に付与している。電源Ｄ１は例えば遊技機１０と同じ電源から電流を供給する構造でもよいし、ボタン電池などを用いてもよい。
【００２０】
不正検出回路３０は、電源回路３７から付与される電流が流れる可変抵抗器３１を有している。可変抵抗器３１は、導体板３４（本発明の固定電極に相当する）と、導体板３４の面と当接する鉄球３３（本発明の可動電極及び吸引部に相当する）と、一端３２Ａが鉄球３３に接合されているコイルバネ３２（本発明のアンテナ及び弾性部材に相当する）とを有している。導体板３４は一端３４Ａが基板Ｂ１に接続されていて、例えば金属からなる。コイルバネ３２は他端３２Ｂが基板Ｂ１に固定されている。導体板３４の側方を囲うように、絶縁体である側壁部３５，３５が設けられている。なお、側壁部３５，３５は設けられていなくともよい。本実施形態では、遊技者から見て、鉄球３３がコイルバネ３２よりも奥部に位置している。
【００２１】
導体板３４と鉄球３３とは当接位置である接触点Ｓ（図５参照）において通電可能である。接触点Ｓは、鉄球３３の移動に伴って、導体板３４の面上を移動する。鉄球３３と導体板３４との接触点Ｓから導体板３４の一端３４Ａまでの直線距離を距離Ｌとすると、距離Ｌは接触点Ｓの移動によって変化する。距離Ｌが変化することで、不正検出回路３０の電気抵抗が変化して、不正検出回路３０を流れる電流も変化する。
【００２２】
不正検出回路３０は、不正検出回路３０を流れる電流の大きさを検出する電流検出部３６（本発明における検出部に相当する、図４参照）を有し、検出された電流の情報は遊技機１０のサブ制御基板２００（本発明における不正判別手段に相当する）へと送られる。なお、電流検出部３６は不正検出回路３０の電流を直接検出してもよいし、不正検出回路３０の一部の箇所の電圧を検出することで検出してもよい。サブ制御基板２００は、電流検出部３６の検出した電流の異常を基準範囲に基づいて判別する。基準範囲は、遊技機１０の演出による電波やホールの照明や遊技者の携帯電話の使用などによるノイズを考慮して決定される。電流検出部３６からサブ制御基板２００への電流の情報の送信は配線を通してもよいし、無線でもよい。サブ制御基板２００が異常と判断すると例えばホールの制御コンピュータに異常を知らせる信号を送る。
【００２３】
図６には、遊技機１０の制御系のブロック図が示されている。サブ制御基板２００は、メイン制御基板３００の指示に基づいて、遊技の演出を制御する。
【００２４】
本実施形態の構成は以上である。次に、本実施形態の作用効果について説明する。遊技者がハンドル１３を操作すると、遊技球が遊技機１０の内部に打ち込まれる。そして、遊技球はレール２１に誘導されて遊技領域Ｒ１内に入り、釘部材Ｋに当たって進行方向を変えながら落下していく。このとき、液晶窓部２０Ａの側部が突出しているので、遊技球が液晶窓部２０Ａ内に入り込まないようになっている。
【００２５】
このとき、遊技球が始動入賞口２２に入ると、始動入賞口２２に設けられた電磁センサＳ１の送信部と受信部との間を遊技球が通過し、受信部の受信する電波が一時的に変化する。受信部がこの変化を検出すると、電磁センサＳ１がサブ制御基板２００に遊技球通過の信号を送る。サブ制御基板２００が遊技球通過の信号を受信すると当否判定が行われる。例えば、当りになると賞球として複数の遊技球が上皿１１に払い出され、外れになると何も起こらず終了する。さらに、当りになった場合は一定の時間だけ大入賞扉２３Ａが開いて大入賞口２３が開放され、大入賞口２３に遊技球が通過可能になる。そして、大入賞口２３に遊技球が通過すると、大当りとなって賞球としてより多くの遊技球が上皿１１に払い出される。当否判定の結果は液晶表示部４０に表示される。なお、始動入賞口２２にも大入賞口２３にも入らなかった遊技球は、アウト口２４から排出される。
【００２６】
ところで、各入賞口２２，２３の電磁センサＳ１に不正な電波（不正ノイズに相当する）を照射して、遊技球が通過したときと同様の電波を電磁センサＳ１の受信部に受信させて、遊技球が通過したかのように誤認させ、不正に賞球を得ようとする不正行為がなされる場合がある。また、他にも、遊技機１０に衝撃を与えたり、遊技球を磁石で引き付けることで、遊技球が始動入賞口２２や大入賞口２３に入るように誘導する不正行為がなされる場合がある。
【００２７】
そこで、本実施形態では、遊技機１０に不正検出回路３０を備えたことで、それらの不正を検知できるようにしている。例えば、不正な電波が遊技機１０に付与されると、コイルバネ３２における電磁誘導によって不正検出回路３０に流れる電流が瞬間的に基準範囲を超えて大きくなる。すると、電流検出部３６の検出結果を取り込んだサブ制御基板２００が異常を判断して信号を送る。
【００２８】
また、遊技機１０に不正な衝撃が付与されると、コイルバネ３２が伸縮して鉄球３３が導体板３４上を往復動する。これにより不正検出回路３０の電気抵抗が変化して、不正検出回路３０を流れる電流が周期的に変化する。すると、電流検出部３６の検出結果を取り込んだサブ制御基板２００が、電流変化の周波数に基づいて異常と判断して信号を送る。  
【００２９】
同様に、遊技機１０に不正な磁力が付与されると、鉄球３３が磁石に引き寄せられ、不正検出回路３０の電気抵抗が変化して不正検出回路３０を流れる電流が基準範囲を超えて大きくなる。すると、電流検出部３６の検出結果を取り込んだサブ制御基板２００が異常と判断して信号を送る。
【００３０】
以上のように、本実施形態では、不正検出回路３０において、電流検出部３６を電波及び衝撃及び磁力を用いた不正行為に対して兼用している。これによって、電流検出部３６をそれぞれの不正行為に対して設けるよりも、部品点数を少なくでき、スペースの確保が容易になると共にコストダウンも可能になる。また、鉄球３３と導体板３４は磁力及び衝撃を用いたそれぞれの不正行為に対して兼用されていて、コイルバネ３２は電波及び磁力及び衝撃を用いたそれぞれの不正行為に対して兼用されているので、さらにスペースの確保が容易になると共にコストダウンも可能になる。
【００３１】
なお、不正検出回路３０に側壁３５，３５を設けて鉄球３３の側方への移動を規制しているので、鉄球３３が振動するときに導体板３４から側方へと離れないようにできる。
【００３２】
また、不正検出回路３０に通常、微弱電流が流れていることで、ある閾値内の電流の変化は無視することができ、不正行為以外に基づく電流の変化による誤報知を抑えることができる。
［第２実施形態］
【００３３】
本実施形態では、可変抵抗器３１の構成が上記第１実施形態とは異なる構成になっている。詳細には、本実施形態では、可変抵抗器３１が、加速度センサ（図示せず）とアンテナ部材（図示せず）とからなる。
【００３４】
次に、本実施形態の作用について説明する。電波による不正行為が行われたときは、不正ノイズによってアンテナ部材に電流が発生して、電流検出部３６の検出する不正検出回路３０の電流が変化する。本実施形態では、アンテナ部材が本発明に係る「アンテナ」に相当する。
【００３５】
また、衝撃による不正行為が行われたときは、加速度センサによって不正検出回路３０の電流が変化する。
【００３６】
第２実施形態においても、電流検出部３６は電波や衝撃による不正行為に対して兼用することができるので、スペースの確保が容易であり、コストダウンも可能である。
［他の実施形態］
【００３７】
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００３８】
（１）第１実施形態では鉄球３３が、コイルバネ３２の振幅に伴って移動する構造としていたが、鉄球３３の代わりに磁石に引き付けられない金属球（図示せず）と、導体板３４の代わりに鉄板（図示せず）とを用いて、鉄板にコイルバネ３２の一端３２Ａを接合させて、鉄板が衝撃や磁石によって動く構造としてもよい。また、コイルバネ３２ではなく別の弾性部材によって鉄球３３が移動できるようにしてもよい。その際、該弾性部材に絶縁性のものを用いて、鉄球３３への給電は別に配線を設けることで行ってもよい。
【００３９】
（２）第１実施形態では鉄球３３を備えていたが、鉄製ではなく、他の強磁性体性の球体でもよい。また、鉄球３３は球体でなくともよい。第１実施形態のように、導体板３４との接触面が球面であると導体板３４上の移動がスムーズである。
【００４０】
（３）図４では導体板３４の形状は板状であるが、帯状でもよいし、線状でもよい。
【００４１】
（４）第１実施形態では、サブ制御基板２００が電流検出部３６の検出した電流値に基づいて不正を判別していたが、判別回路も不正検出回路３０に設けてもよい。
【００４２】
（５）不正検出回路３０が遊技機１０の前枠部１０Ｚの後方に設けてもよい。その場合、不正検出回路３０のメンテナンスが容易である。
【００４３】
（６）電流検出部３６を廃し、不正検出回路３０の電流の検出もサブ制御基板２００で行ってもよい。
【００４４】
（７）第１実施形態では、遊技者から見て、鉄球３３がコイルバネ３２よりも奥部に位置していたが、鉄球３３がコイルバネ３２よりも手前に位置してもよい。
【符号の説明】
【００４５】
１０    遊技機
３０    不正検出回路
３１    可変抵抗器
３２    コイルバネ（アンテナ及び弾性部材）
３２Ａ    一端（第２接続部）
３３    鉄球（可動電極及び吸引部）
３４    導体板（固定電極）
３４Ａ    一端（第１接続部）
３６    電流検出部（検出部）
３７    電源回路
２００    サブ制御基板（不正判別手段）
Ｂ１    基板
Ｌ    距離
Ｓ    接触点
Ｓ１    電磁センサ
【図１】
2019005332.tif 000003
【図２】
2019005332.tif 000004
【図３】
2019005332.tif 000005
【図４】
2019005332.tif 000006
【図５】
2019005332.tif 000007
【図６】
2019005332.tif 000008